(57)【要約】【課題】現像装置へのトナーの補給量を正確に制御することができる現像装置とこれを用いる画像形成装置及びトナー補給制御方法を提供する。【解決手段】トナーと磁性キャリアとを含む現像剤Ｄが搬送される第１搬送路（現像剤搬送路）Ｐと、第１搬送路Ｐに設けられて現像剤Ｄを撹拌しながら所定方向へ搬送する第１搬送部材（現像剤搬送部材）１１２ａと、第１搬送路に補給トナーを導入するためのトナー補給パイプ１１６とを備えた現像装置２において、トナー補給パイプ１１６の外周部に沿って、トナー補給パイプ１１６内に磁界を形成する電磁石１１８を備えて、電磁石１１８により磁気ブラシシャッタＪを形成することを特徴とするものとする。【選択図】図５
2010066394.tif 000002
【特許請求の範囲】
【請求項１】
トナーと磁性キャリアとを含む現像剤が搬送される現像剤搬送路と、前記現像剤搬送路に設けられて前記現像剤を撹拌しながら所定方向へ搬送する現像剤搬送部材と、前記現像剤搬送路に補給トナーを導入するためのトナー補給路とを備えた現像装置において、
前記トナー補給路の外周部に沿って、前記トナー補給路内に磁界を形成する電磁石を備えることを特徴とする現像装置。
【請求項２】
前記電磁石は、前記トナー補給路を挟んで複数個配置され、複数個の電磁石により前記トナー補給路内に同一方向の磁界を形成することを特徴とする請求項１に記載の現像装置。
【請求項３】
前記電磁石により形成される磁界は、前記トナー補給路内の磁束密度が５００ｍＴ以上２０００ｍＴ以下であることを特徴とする請求項１または２に記載の現像装置。
【請求項４】
前記電磁石は、前記トナー補給路下方の現像剤搬送路内の現像剤の表面から５〜３０ｍｍ離間した位置に配置されることを特徴とする請求項３に記載の現像装置。
【請求項５】
前記トナー補給路を介して対向して配置される電磁石間の距離は、５〜２５ｍｍとすることを特徴とする請求項３または４に記載の現像装置。
【請求項６】
感光体ドラム表面に形成された静電潜像にトナーを供給してトナー像を形成する現像装置と、前記現像装置にトナーを補給するトナー補給装置とを備えて、電子写真方式により画像を形成する画像形成装置において、
前記現像装置として、請求項１乃至５のうちの何れか一項に記載の現像装置を用いることを特徴とする画像形成装置。
【請求項７】
トナーと磁性キャリアとを含む現像剤が搬送される現像剤搬送路と、前記現像剤搬送路に補給トナーを導入するためのトナー補給路とを備えた現像装置に、前記トナー補給路を通じてトナー補給装置からトナーを補給するトナー補給制御方法において、
前記トナー補給装置から前記現像装置にトナー補給を行わない時に、前記トナー補給路内に磁界を発生させる工程と、
前記トナー補給装置から前記現像装置にトナー補給を行う時に、前記トナー補給路内に磁界を発生させない工程と、
を備えることを特徴とするトナー補給制御方法。
【発明の詳細な説明】
【技術分野】
【０００１】
本発明は、トナーを補給可能な現像装置とこれを用いる画像形成装置及びトナー補給制御方法に係り、特に、トナーと磁性キャリアとを含む現像剤を用いたトナーの補給量を正確に制御することができる現像装置とこれを用いる画像形成装置及びトナー補給制御方法に関する。
【背景技術】
【０００２】
静電電子写真方式を利用する画像形成装置は、一般的に、帯電工程、露光工程、現像工程、転写工程、定着工程、クリーニング工程及び除電工程を経て記録媒体上に画像を形成する装置である。
【０００３】
帯電工程では、帯電装置によって、回転駆動される感光体の表面が均一に帯電される。露光工程では、露光装置によって、帯電状態にある感光体表面にレーザ光が照射されて画像情報に対応する静電潜像が形成される。現像工程では、現像装置によって、感光体表面に形成された静電潜像が現像されてトナー像が形成される。転写工程では、転写装置によって、感光体表面に形成されたトナー像が記録媒体に転写される。定着工程では、定着装置によって、転写されたトナー像が加熱及び加圧されることにより記録媒体に定着される。
【０００４】
クリーニング工程では、クリーニング装置によって、トナー像転写後に感光体表面に残留するトナーが除去されて、感光体表面が清浄化される。このとき除去されたトナーは、所定の回収部に回収される。除電工程では、除電装置によって、清浄化された感光体表面に残留する残留電荷が除去されて、次の画像形成に備えられる。
【０００５】
このような画像形成装置では、現像剤として、トナーのみからなる一成分現像剤又はトナーとキャリアとからなる二成分現像剤を用いて静電潜像を現像するようになっている。
【０００６】
一成分現像剤は、トナーとキャリアとを均一に混合するための攪拌機構を必要としない点から、現像装置の構成が簡単になり装置を小型化できるといった利点を有するが、トナーの帯電量が安定化しにくいという欠点がある。
【０００７】
一方、二成分現像剤は、トナーとキャリアとを均一に混合するための攪拌機構を必要とする点から、現像装置の構成が複雑になり装置が大型化してしまうという欠点を有する。しかしながら、トナーの帯電安定性及び高速機への適合性に優れるといった利点を有するため、高速画像形成装置及びカラー画像形成装置によく使用される。
【０００８】
近年では、省エネルギー化及び高画質化に対するユーザの要望に応えるため、軟化温度が低く体積平均粒径が５μｍ〜９μｍ程度の小粒径トナーがよく使用される。このような小粒径トナーは、低温定着が可能であり、また高解像度化及び粒状感の低減効果に優れているため高画質化の達成に有効である。
【０００９】
二成分現像剤中のトナーは、現像操作の度毎に消費されるため、現像装置にはトナー消費量に応じて現像装置内にトナーを補給するためのトナー補給装置が設けられている。このようなトナー補給装置として、例えば、スクリューオーガからなるトナー排出部材を回転させることによりトナーをトナー排出口に導き、現像装置へと供給するように構成されたトナー補給装置が知られている（特許文献１を参照）。
【特許文献１】特開２００１−８３８０２号公報
【発明の開示】
【発明が解決しようとする課題】
【００１０】
しかしながら、上述したスクリューオーガからなるトナー排出部材を用いたトナー補給装置では、トナー補給が行われていない状態において、すなわちトナー濃度が十分に高い場合であっても、画像形成装置の振動等によって、トナー排出スクリューの隙間にあったトナーが突発的に流出する現象が起こることがあった。このため、現像装置へのトナーの補給量を正確に制御できないという問題があった。
【００１１】
本発明は、上記従来の問題点に鑑みてなされたものであって、現像装置へのトナーの補給量を正確に制御することができる現像装置とこれを用いる画像形成装置及びトナー補給制御方法を提供することを目的とする。
【課題を解決するための手段】
【００１２】
上述した課題を解決するための本発明に係る現像装置とこれを用いる画像形成装置及びトナー補給制御方法は、次の通りである。
【００１３】
本発明は、トナーと磁性キャリアとを含む現像剤が搬送される現像剤搬送路と、前記現像剤搬送路に設けられて前記現像剤を撹拌しながら所定方向へ搬送する現像剤搬送部材と、前記現像剤搬送路に補給トナーを導入するためのトナー補給路とを備えた現像装置において、前記トナー補給路の外周部に沿って、前記トナー補給路内に磁界を形成する電磁石を備えることを特徴とするものである。
【００１４】
すなわち、本発明は、例えば、前記トナー補給路の外周部に沿って設けられた電磁石により前記トナー補給路内に磁界を発生させて、前記電磁石により発生した磁界により前記現像剤を吸着させて前記トナー補給路を一時的に閉鎖することを特徴とするものである。
【００１５】
また、本発明は、前記電磁石を、前記トナー補給路を挟んで複数個配置し、複数個の電磁石により前記トナー補給路内に同一方向の磁界を形成することが好ましい。
【００１６】
また、本発明は、前記電磁石により形成される磁界を、前記トナー補給路内の磁束密度が５００ｍＴ以上２０００ｍＴ以下となるようにすることが好ましい。
【００１７】
また、本発明は、前記電磁石を、前記トナー補給路下方の現像剤搬送路内の現像剤の表面から５〜３０ｍｍ離間した配置に配置することが好ましい。
【００１８】
また、本発明は、前記トナー補給路を介して対向して配置される電磁石間の距離を、５〜２５ｍｍとすることが好ましい。
【００１９】
また、本発明は、感光体ドラム表面に形成された静電潜像にトナーを供給してトナー像を形成する現像装置と、前記現像装置にトナーを補給するトナー補給装置とを備えて、電子写真方式により画像を形成する画像形成装置において、前記現像装置として、請求項１乃至５のうちの何れか一項に記載の現像装置を用いることを特徴とするものである。
【００２０】
また、本発明は、トナーと磁性キャリアとを含む現像剤が搬送される現像剤搬送路と、前記現像剤搬送路に補給トナーを導入するためのトナー補給路とを備えた現像装置に、前記トナー補給路を通じてトナー補給装置からトナーを補給するトナー補給制御方法において、前記トナー補給装置から前記現像装置にトナー補給を行わない時に、前記トナー補給路内に磁界を発生させる工程と、前記トナー補給装置から前記現像装置にトナー補給を行う時に、前記トナー補給路内に磁界を発生させない工程と、を備えることを特徴とするものである。
【００２１】
すなわち、本発明は、例えば、前記トナー補給装置から前記現像装置にトナー補給を行わない時に、前記トナー補給路の外周部に沿って設けられた電磁石に通電することより発生した磁界により現像剤が吸引されている時に、この磁界に吸着された現像剤によって前記トナー補給路を閉鎖する工程と、前記トナー補給装置から前記現像装置にトナー補給を行う時に、前記電磁石への通電を停止することにより磁界が消滅してトナー補給路を開放する工程と、を有することを特徴とするものである。
【発明の効果】
【００２２】
本発明によれば、トナーと磁性キャリアとを含む現像剤が搬送される現像剤搬送路と、前記現像剤搬送路に設けられて前記現像剤を撹拌しながら所定方向へ搬送する現像剤搬送部材と、前記現像剤搬送路に補給トナーを導入するためのトナー補給路とを備えた現像装置において、前記トナー補給路の外周部に沿って、前記トナー補給路内に磁界を形成する電磁石を備えることで、前記電磁石により発生した磁界により前記現像剤を吸着させて前記トナー補給路を一時的に閉鎖することができるので、トナー補給時以外にトナー補給パイプを閉鎖することによって、トナー補給装置からトナーが不意に落下して現像剤中に供給されることを防止できる。その結果、トナー濃度が過度に高まることによって生じるトナー飛散やカブリの発生を抑えることができる。
【００２３】
また、本発明によれば、前記電磁石を、前記トナー補給路を挟んで複数個配置し、複数個の電磁石により前記トナー補給路内に同一方向の磁界を形成することで、緻密な磁気ブラシシャッタが形成されるので、トナー補給装置から不意に落下してくるトナーを完全にトラップできる。
【００２４】
また、本発明によれば、前記電磁石により形成される磁界を、前記トナー補給路内の磁束密度が５００ｍＴ以上２０００ｍＴ以下となるようにすることで、トナー補給時には、現像剤搬送路内の現像剤の流動性を低下させることなく、トナー補給を行わない時には、磁気ブラシシャッタを形成することができる。
【００２５】
また、本発明によれば、前記電磁石を、前記トナー補給路下方の現像剤搬送路内の現像剤の表面から５〜３０ｍｍ離間した配置に配置することで、磁気ブラシシャッタを確実に形成することができる。
【００２６】
また、本発明によれば、前記トナー補給路を介して対向して配置される電磁石間の距離を、５〜２５ｍｍとすることで、磁気ブラシシャッタを確実に形成することができる。
【００２７】
また、本発明によれば、感光体ドラム表面に形成された静電潜像にトナーを供給してトナー像を形成する現像装置と、前記現像装置にトナーを補給するトナー補給装置とを備えて、電子写真方式により画像を形成する画像形成装置において、前記現像装置として、請求項１乃至５のうちの何れか一項に記載の現像装置を用いることで、トナー飛散に起因するトナー汚れやカブリのない画像を得ることができる。
【００２８】
また、本発明によれば、トナーと磁性キャリアとを含む現像剤が搬送される現像剤搬送路と、前記現像剤搬送路に補給トナーを導入するためのトナー補給路とを備えた現像装置に、前記トナー補給路を通じてトナー補給装置からトナーを補給するトナー補給制御方法において、前記トナー補給装置から前記現像装置にトナー補給を行わない時に、前記トナー補給路内に磁界を発生させる工程と、前記トナー補給装置から前記現像装置にトナー補給を行う時に、前記トナー補給路内に磁界を発生させない工程と、を備えることで、この磁界に引き寄せられた現像剤によって前記トナー補給路を閉鎖し、トナー補給路を開放状態とすることができる。これにより、トナー補給の不必要な時にトナーが補給されることがないので、トナー濃度の制御を安定して行うことができる。
【発明を実施するための最良の形態】
【００２９】
以下、本発明を実施するための最良の形態について図面を参照して説明する。
図１は発明を実施する形態の一例であって、本発明の実施形態に係る現像装置が用いられた画像形成装置の全体の構成を示す説明図である。
【００３０】
本実施形態は、図１に示すように、表面に静電潜像が形成される感光体ドラム３と、感光体ドラム３表面を帯電させる帯電器（帯電装置）５と、感光体ドラム３表面に静電潜像を形成する露光ユニット（露光装置）１と、感光体ドラム３表面の静電潜像にトナーを供給してトナー像を形成する現像装置２と、現像装置２にトナーを補給するトナー補給装置（トナー補給装置）１０１と、感光体ドラム３表面のトナー像を記録媒体に転写する中間転写ベルトユニット（転写装置）８と、トナー像を記録媒体に定着させる定着ユニット（定着装置）１２とを備え、電子写真方式によりトナーを用いて画像を形成する画像形成装置１００において、現像装置２として、本発明に係る現像装置の構成を採用したものである。
【００３１】
この画像形成装置１００は、外部から伝達される画像データに応じて所定のシート（記録用紙，記録媒体）に多色または単色の画像を形成するものである。なお、画像形成装置１００の上方にスキャナ等を備えてもよい。
【００３２】
まず、画像形成装置１００の全体構成について説明する。
【００３３】
画像形成装置１００は、図１に示すように、黒（Ｋ）、シアン（Ｃ）、マゼンタ（Ｍ）及びイエロー（Ｙ）の色成分毎の画像データが取り扱われ、黒画像、シアン画像、マゼンタ画像、イエロー画像が形成され、各々の色成分の画像を重畳することによってカラー画像が形成されるようになっている。
【００３４】
したがって、画像形成装置１００においては、図１に示すように、各色成分の画像が形成されるように、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナユニット４（４ａ，４ｂ，４ｃ，４ｄ）がそれぞれ４個ずつ設けられている。言い換えると、現像装置２と感光体ドラム３と帯電器５とクリーナユニット４とを１つずつ含む画像形成ステーション（画像形成部）が４つ設けられることになる。
【００３５】
なお、上記ａ〜ｄの符号は、ａが黒画像形成用の部材、ｂがシアン画像形成用の部材、ｃがマゼンタ画像形成用の部材、ｄがイエロー画像形成用の部材であることを示したものである。また、画像形成装置１００には、露光ユニット１、定着ユニット１２、シート搬送路Ｓ、給紙トレイ１０及び排紙トレイ１５が備えられている。
【００３６】
帯電器５は、感光体ドラム３の表面を所定の電位に均一に帯電させるものである。
【００３７】
帯電器５としては、図１に示す接触ローラ型の帯電器の他、接触ブラシ型の帯電器、或いは非接触チャージャー型の帯電器などが使用されることもある。
【００３８】
露光ユニット１は、図１に示すように、レーザ照射部及び反射ミラーを備えたレーザスキャニングユニット（ＬＳＵ）である。但し、レーザスキャニングユニット以外に、発光素子をアレイ状に並べたＥＬ（エレクトロルミネッセンス）やＬＥＤ書込みヘッドを露光ユニット１とすることもできる。露光ユニット１は、帯電された感光体ドラム３を入力された画像データに応じて露光することにより、感光体ドラム３の表面に画像データに応じた静電潜像を形成する。
【００３９】
現像装置２は、感光体ドラム３に形成された静電潜像をＫ，Ｃ，Ｍ，Ｙのいずれかのトナーにより顕像化する（現像する）ものである。現像装置２（２ａ，２ｂ，２ｃ，２ｄ）は、トナー補給装置１０１（１０１ａ，１０１ｂ，１０１ｃ，１０１ｄ）、トナー補給パイプ１１６（１１６ａ，１１６ｂ，１１６ｃ，１１６ｄ）、現像槽（現像剤収容部）１１１（１１１ａ，１１１ｂ，１１１ｃ，１１１ｄ）を備えている。
【００４０】
トナー補給装置１０１は、現像槽１１１よりもＨ方向側に配され、未使用トナー（粉体状のトナー）を貯蔵している。トナー補給装置１０１から現像槽１１１へトナー補給パイプ１１６を介してトナーが供給されるようになっている。
【００４１】
クリーナユニット４は、現像及び画像転写工程後に感光体ドラム３の表面に残留しているトナーを除去し、回収するものである。
【００４２】
感光体ドラム３の上方には中間転写ベルトユニット８が配置されている。中間転写ベルトユニット８は、中間転写ローラ６（６ａ，６ｂ，６ｃ，６ｄ）、中間転写ベルト７、中間転写ベルト駆動ローラ７１、中間転写ベルト従動ローラ７２、中間転写ベルトテンション機構７３、及び中間転写ベルトクリーニングユニット９を備えている。
【００４３】
中間転写ローラ６、中間転写ベルト駆動ローラ７１、中間転写ベルト従動ローラ７２、中間転写ベルトテンション機構７３は、中間転写ベルト７を張架し、図１の矢印Ｂ方向に中間転写ベルト７を回転駆動させるものである。
【００４４】
中間転写ローラ６は、中間転写ベルトユニット８の中間転写ベルトテンション機構７３における中間転写ローラ取付部に回転可能に支持されている。中間転写ローラ６には感光体ドラム３のトナー像を中間転写ベルト７上に転写するための転写バイアスが印加されている。
【００４５】
中間転写ベルト７は、各感光体ドラム３に接触するように設けられている。中間転写ベルト７上には、感光体ドラム３に形成された各色成分のトナー像が順次重ねて転写されることにより、カラーのトナー像（多色トナー像）が形成される。中間転写ベルト７は、厚さが例えば１００μｍ〜１５０μｍ程度のフィルムを用いて無端状に形成されている。
【００４６】
感光体ドラム３から中間転写ベルト７へのトナー像の転写は、中間転写ベルト７の裏側に接触している中間転写ローラ６によって行われる。中間転写ローラ６には、トナー像を転写するために高電圧の転写バイアス（トナーの帯電極性（−）とは逆極性（＋）の高電圧）が印加されている。
【００４７】
中間転写ローラ６は、直径が例えば８〜１０ｍｍの金属（例えばステンレス）軸をベースとして形成され、表面が導電性の弾性材（例えばＥＰＤＭ，発泡ウレタン等）により覆われている。この導電性の弾性材により、中間転写ローラ６は中間転写ベルト７に対して均一に高電圧を印加することができる。本実施の形態では、転写電極としてローラ形状のもの（中間転写ローラ６）を使用しているが、これ以外にブラシなども用いることが可能である。
【００４８】
上述のように各感光体ドラム３上の静電潜像は各色成分に応じたトナーにより顕像化されてそれぞれトナー像となり、これらトナー像は中間転写ベルト７上に重ねて合わされ積層される。このように、積層されたトナー像は、中間転写ベルト７の回転によって、搬送されてきた用紙と中間転写ベルト７との接触位置（転写部）に移動し、この位置に配置されている転写ローラ１１によって用紙上に転写される。この場合、中間転写ベルト７と転写ローラ１１とは所定ニップで互いに圧接されるとともに、転写ローラ１１にはトナー像を用紙に転写させるための電圧が印加される。この電圧は、トナーの帯電極性（−）とは逆極性（＋）の高電圧である。
【００４９】
上記ニップを定常的に得るために、転写ローラ１１もしくは中間転写ベルト駆動ローラ７１の何れか一方は金属等の硬質材料から形成され、他方は弾性ローラ等の軟質材料（弾性ゴムローラまたは発泡性樹脂ローラ等）から形成される。
【００５０】
中間転写ベルト７と感光体ドラム３との接触により中間転写ベルト７に付着したトナー、及び中間転写ベルト７から用紙へのトナー像の転写の際に転写されずに中間転写ベルト７上に残存したトナーは、次工程でトナーの混色を発生させる原因となるために、中間転写ベルトクリーニングユニット９によって除去され回収される。
【００５１】
中間転写ベルトクリーニングユニット９には、中間転写ベルト７に接触するクリーニングブレード（クリーニング部材）が備えられている。中間転写ベルト７におけるクリーニングブレードに接触している部分は、裏側から中間転写ベルト従動ローラ７２にて支持されている。
【００５２】
給紙トレイ１０は、画像形成に使用するシート（例えば記録用紙）を蓄積しておくためのものであり、画像形成部及び露光ユニット１の下側に設けられている。一方、画像形成装置１００の上部に設けられている排紙トレイ１５は、印刷済みのシートをフェイスダウンで載置するためのものである。
【００５３】
また、画像形成装置１００には、給紙トレイ１０のシート及び手差しトレイ２０のシートを転写部や定着ユニット１２を経由させて排紙トレイ１５に案内するためのシート搬送路Ｓが設けられている。なお、転写部は中間転写ベルト駆動ローラ７１と転写ローラ１１との間に位置する。
【００５４】
さらに、シート搬送路Ｓには、ピックアップローラ１６（１６ａ，１６ｂ）、レジストローラ１４、転写部（転写ローラ１１）、定着ユニット１２、搬送ローラ２５（２５ａ〜２５ｈ）等が配置されている。
【００５５】
搬送ローラ２５は、シートの搬送を促進・補助するための小型のローラであり、シート搬送路Ｓに沿って複数設けられている。ピックアップローラ１６ａは、給紙トレイ１０の端部に備えられ、給紙トレイ１０からシートを１枚ずつシート搬送路Ｓに供給する呼び込みローラである。ピックアップローラ１６ｂは、手差しトレイ２０の近傍に備えられ、手差しトレイ２０からシートを１枚ずつシート搬送路Ｓに供給する呼び込みローラである。レジストローラ１４は、シート搬送路Ｓを搬送されているシートを一旦保持し、中間転写ベルト７上のトナー像の先端とシートの先端とを合わせるタイミングでシートを転写部に搬送するものである。
【００５６】
定着ユニット１２は、ヒートローラ８１及び加圧ローラ８２等を備え、これらヒートローラ８１及び加圧ローラ８２はシートを挟んで回転する。ヒートローラ８１は、所定の定着温度となるように制御部（図示せず）によって制御される。この制御部は温度検出器（図示せず）からの検出信号に基づいてヒートローラ８１の温度を制御する。
【００５７】
ヒートローラ８１は、加圧ローラ８２とともにシートを熱圧着することにより、シートに転写されている各色トナー像を溶融、混合、圧接させ、シートに対して熱定着させる。なお、多色トナー像（各色トナー像）が定着されたシートは、複数の搬送ローラ２５によってシート搬送路Ｓの反転排紙経路に搬送され、反転された状態（多色トナー像を下側に向けた状態）にて、排紙トレイ１５上に排出される。
【００５８】
次に、シート搬送路Ｓによるシート搬送動作について説明する。
【００５９】
画像形成装置１００には、図１に示すように、上述したように予めシートを収納する給紙トレイ１０、及び少数枚の印字を行う場合等に使用される手差しトレイ２０が配置されている。これら両トレイには各々ピックアップローラ１６（１６ａ，１６ｂ）が配置され、これらピックアップローラ１６によってシートを１枚ずつシート搬送路Ｓに供給するようになっている。
【００６０】
片面印字の場合は、給紙トレイ１０から搬送されるシートは、シート搬送路Ｓ中の搬送ローラ２５ａによってレジストローラ１４まで搬送され、レジストローラ１４によりシートの先端と中間転写ベルト７上の積層されたトナー像の先端とが整合するタイミングで転写部（転写ローラ１１と中間転写ベルト７との接触位置）に搬送される。転写部ではシート上にトナー像が転写され、このトナー像は定着ユニット１２にてシート上に定着される。その後、シートは、搬送ローラ２５ｂを経て排紙ローラ２５ｃから排紙トレイ１５上に排出される。
【００６１】
また、手差しトレイ２０から搬送されるシートは、複数の搬送ローラ２５（２５ｆ，２５ｅ，２５ｄ）によってレジストローラ１４まで搬送される。それ以降のシート搬送動作は、上述した給紙トレイ１０から供給されるシートと同様の経過を経て排紙トレイ１５に排出される。
【００６２】
一方、両面印字の場合は、上記のようにして片面印字が終了し定着ユニット１２を通過したシートは、後端が排紙ローラ２５ｃにてチャックされる。次に、シートは、排紙ローラ２５ｃが逆回転することによって搬送ローラ２５ｇ，２５ｈに導かれ、再びレジストローラ１４を経て裏面印字が行われた後に、排紙トレイ１５に排出される。
【００６３】
次に、本実施形態の特徴的な現像装置２について図面を参照して説明する。
【００６４】
図２は本実施形態に係る画像形成装置を構成する現像装置の構成を示す断面図、図３は図２のＡ−Ａ断面矢視図、図４は図２のＢ−Ｂ断面矢視図である。
【００６５】
現像装置２は、図２に示すように、現像槽１１１内に、感光体ドラム３と対向するように配置された現像ローラ（現像剤担持部材）１１４を有し、現像ローラ１１４によって感光体ドラム３の表面にトナーを供給して、感光体ドラム３の表面に形成された静電潜像を顕像化する（現像する）装置である。
【００６６】
現像装置２は、現像ローラ１１４の他に、現像槽１１１、現像槽カバー１１５、トナー補給口１１９、ドクターブレード１１７、第１搬送部材１１２ａ、第２搬送部材１１２ｂ、仕切り板（仕切り壁）１１３、トナー補給パイプ１１６、電磁石１１８を備えている。
【００６７】
現像槽１１１は、トナーとキャリアとを含む二成分現像剤（以下、単に「現像剤」と称する。）を収容する槽である。また、現像槽１１１には、現像ローラ１１４、第１搬送部材１１２ａ、第２搬送部材１１２ｂ等が配設されている。なお、本実施形態のキャリアは、磁性を有する磁性キャリアである。
【００６８】
現像ローラ１１４は、回転するマグネットローラであり、現像槽１１１の現像剤を表面に汲み上げて担持し、表面に担持している現像剤に含まれるトナーを感光体ドラム３に供給するものである。現像ローラ１１４の表面に近接する位置にはドクターブレード（層厚規制用ブレード）１１７が配されている。
【００６９】
また、現像槽１１１の上側には、図２，図４に示すように、取り外し可能な現像槽カバー１１５が設けられている。さらに、現像槽カバー１１５には、図３，図４に示すように、現像槽１１１に未使用のトナーを補給するための、矩形状の貫通孔を形成するトナー補給口１１９が設けられ、断面が矩形状のトナー通過孔を有する四角柱状のトナー補給パイプ１１６が連結されている。
【００７０】
そして、図１に示すように、トナー補給装置１０１に収容されているトナーは、トナー補給パイプ１１６及びトナー補給口１１９を介して現像槽１１１に移送され、これにより現像槽１１１にトナーが補給されるようになっている。
【００７１】
トナー補給口１１９近傍には、トナー補給パイプ１１６を挟んで２つの電磁石１１８が配置されている。電磁石１１８，１１８は、トナー補給パイプ１１６を挟んで対向する２つの面がＳ極、Ｎ極として向かい合うように配置されている。
【００７２】
電磁石１１８が形成するトナー補給パイプ１１６中の磁界の磁束密度は、５００ｍＴ以上２０００ｍＴ以下が好ましい。すなわち、５００ｍＴ未満では、十分な磁気ブラシシャッタを形成することが難しくなり、２０００ｍＴを超えると、磁気ブラシが第２搬送部材で搬送される現像剤の流動性を低下させ、現像剤搬送性が低下するためである。
【００７３】
電磁石１１８が設けられる位置は、現像剤面から５ｍｍ以上３０ｍｍ以下で離間した高さとすることが好ましい。すなわち、５ｍｍ未満の距離では、トナー補給パイプ１１６内に形成された磁気ブラシが第１搬送部材１１２ａで搬送される現像剤の流動性を低下させ、これにより、現像剤搬送性が低下する。一方、３０ｍｍを超える距離では、磁界が現像剤から離れ過ぎるため、トナー補給パイプ１１６内に十分な磁気ブラシシャッタを形成することが難しくなる。
【００７４】
現像装置２へのトナー補給は、図１に示すように、トナー補給装置１０１に収容されたトナーが、トナー補給パイプ１１６を介してトナー補給口１１９から現像槽１１１内に移送されることで行われる。
【００７５】
第１搬送部材１１２ａおよび第２搬送部材１１２ｂは、図３に示すように、現像槽１１１において現像剤を撹拌及び搬送するための螺旋状の搬送羽根からなるスクリューオーガであり、モータ等の駆動手段（図示せず）によって軸が回転駆動することで、現像剤を撹拌すると共に搬送するようになっている。
【００７６】
第２搬送部材１１２ｂの鉛直方向下方の現像槽１１１底面には、図示しないトナー濃度検知センサが、センサ面が現像槽１１１の内部に露出するように設けられる。トナー濃度検知センサは、図示しない制御手段に電気的に接続され、トナー濃度検知センサによる検知結果がトナー濃度設定値よりも低いと判定されると、トナー補給装置へトナー補給動作を作動させる制御信号を送り、トナー補給が行なわれる。
【００７７】
第１搬送部材１１２ａ及び第２搬送部材１１２ｂは、互いの周面同士が仕切り板１１３を介して対向するように且つ互いの軸同士が平行になるように並列され、互いに逆方向に回転するように設定されている。そして、第１搬送部材１１２ａは、図３に示すように、矢印Ｘ方向に現像剤を搬送し、第２搬送部材１１２ｂは、矢印Ｘ方向とは逆の矢印Ｙ方向に現像剤を搬送するように設定されている。
【００７８】
現像槽１１１には、第１搬送部材１１２ａと第２搬送部材１１２ｂとの間に仕切り板１１３が配設されている。仕切り板１１３は、第１および第２搬送部材１１２ａ，１１２ｂの各軸方向（各回転軸方向）に平行に延設されている。現像槽１１１の内部は、仕切り板１１３によって、第１搬送部材１１２ａが配されている第１搬送路Ｐと、第２搬送部材１１２ｂが配されている第２搬送路Ｑとに区画される。
【００７９】
仕切り板１１３は、第１搬送部材１１２ａ及び第２搬送部材１１２ｂの各軸方向の両端部において、現像槽１１１の内側の壁面から離間して配置されている。これにより、現像槽１１１には、第１搬送部材１１２ａ及び第２搬送部材１１２ｂの各軸方向の両端部付近において、第１搬送路Ｐと第２搬送路Ｑとを連通する連通路が形成されている。以下では、図３に示されるように、矢印Ｘ方向側に形成されている連通路を第１連通路ａ、矢印Ｙ方向側に形成されている連通路を第２連通路ｂと称する。
【００８０】
また、本実施形態では、トナー補給口１１９は第１搬送路Ｐ内の領域であり且つ第２連通路ｂよりも矢印Ｘ方向側の位置に形成されている。つまり、第１搬送路Ｐにおいて、第２連通路ｂの下流側にトナーが補給されることになる。
【００８１】
現像槽１１１において、第１搬送部材１１２ａ及び第２搬送部材１１２ｂは、モータ等の駆動手段（図示せず）によって回転駆動し、現像剤を搬送する。
【００８２】
具体的には、第１搬送路Ｐにおいて、現像剤は、第１搬送部材１１２ａによって撹拌されながら矢印Ｘ方向へ搬送され、第１連通路ａに到達する。第１連通路ａに到達した現像剤は、第１連通路ａを通過して第２搬送路Ｑへ搬送される。
【００８３】
また、第２搬送路Ｑにおいて、現像剤は、第２搬送部材１１２ｂによって、撹拌されながら矢印Ｙ方向へ搬送され、第２連通路ｂに到達する。そして、第２連通路ｂに到達した現像剤は、第２連通路ｂを通過して第１搬送路Ｐへ搬送される。
【００８４】
つまり、第１搬送部材１１２ａと第２搬送部材１１２ｂとは、互いに逆方向に現像剤を撹拌しながら搬送している。
【００８５】
このようにして、現像剤は、現像槽１１１において、第１搬送路Ｐと第１連通路ａと第２搬送路Ｑと第２連通路ｂとを、第１搬送路Ｐ→第１連通路ａ→第２搬送路Ｑ→第２連通路ｂ、という順序にて循環移動していることになる。そして、現像剤は、第２搬送路Ｑにて搬送されている間に、現像ローラ１１４の回転にてその表面に担持されて汲み上げられ、汲み上げられた現像剤中のトナーが感光体ドラム３へと移動して、順次消費されていく。
【００８６】
このように消費されるトナーを補うべく、未使用のトナーがトナー補給口１１９から第１搬送路Ｐへ補給される。補給されたトナーは第１搬送路Ｐにおいて従前より存在する現像剤と混合撹拌される。
【００８７】
ここで、本実施形態に係る現像装置２のトナー補給パイプ１１６における電磁石１１８による特徴的な作用について図面を参照して説明する。
【００８８】
図５は本実施形態に係る画像形成装置の現像装置において電磁石に通電した時にトナー補給パイプ内に現像剤により磁気ブラシシャッタが形成された状態を示す説明図、図６は前記現像装置において電磁石の通電を停止した時にトナー補給パイプ内の磁気ブラシシャッタが消滅した状態を示す説明図である。
【００８９】
現像装置２において、トナー補給パイプ１１６の外周部に配置された電磁石１１８に通電された状態では、図５に示すように、現像剤Ｄが電磁石１１８により発生した磁界（磁場）により引き寄せられて、トナー補給パイプ１１６内に現像剤Ｄによる磁気ブラシシャッタＪが形成される。この状態において、トナーＴがトナー補給装置１０１から振動等により不意に落下したとしても、磁気ブラシシャッタＪによりトラップされるため、現像槽１１１内にトナーＴが補給されるのを防止することができる。
【００９０】
従って、トナー補給装置１０１から現像装置２にトナー補給を行わない時には、電磁石１１８に通電された状態にしてトナー補給パイプ１１６内に磁界を発生させて、現像剤Ｄによる磁気ブラシシャッタＪを形成して、現像槽１１１内にトナーＴが余計に補給されるのを防止することができる。
【００９１】
一方、電磁石１１８の通電を停止した状態では、トナー補給パイプ１１６内に磁界が無くなるため、図６に示すように、磁界により引き寄せられていた現像剤Ｄが落下して磁気ブラシシャッタＪは消滅する。この状態において、トナー補給パイプ１１６内に障害となるものがなくなる。
【００９２】
従って、トナー補給装置１０１から現像装置２にトナー補給を行う時には、トナー補給装置１０１から供給されたトナーＴはスムーズに現像槽１１１内に補給される。
【００９３】
以上のように構成したので、本実施形態によれば、現像装置２において、現像槽１１１内にトナーを供給するトナー補給パイプ１１６の外周部に沿って、トナー補給パイプ１１６内に磁界を形成する電磁石１１８を設けたことで、電磁石１１８に通電した時にだけ、トナー補給パイプ１１６内に一時的に現像剤Ｄによる磁気ブラシシャッタＪを形成して、現像槽１１１内にトナーが余計に補給されるのを防止することができる。これにより、現像装置２へのトナーの補給量を正確に制御することができる。
【００９４】
従って、本実施形態によれば、トナー補給パイプ１１６内にシャッター等の構成要素を別途設けることなく、簡単な構成でトナー補給パイプ１１６内を落下するトナーの通過の可／不可を制御することができる。
【００９５】
尚、上述した実施形態では、本発明に係る現像装置２を図１に示すような画像形成装置１００に適用した例について説明したが、トナー補給装置１０１を用いて現像装置２にトナーを補給する画像形成装置であれば、上述したような構成の画像形成装置や複写機に限定されるものではなく、その他の画像形成装置等に展開が可能である。
【００９６】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【図面の簡単な説明】
【００９７】
【図１】本発明の第１実施形態に係る現像装置が用いられた画像形成装置の全体の構成を示す説明図である。
【図２】前記画像形成装置を構成する現像装置の構成を示す断面図である。
【図３】図２のＡ−Ａ断面矢視図である。
【図４】図２のＢ−Ｂ断面矢視図である。
【図５】前記現像装置において電磁石に通電した時にトナー補給パイプ内に現像剤により磁気ブラシシャッタが形成された状態を示す説明図である。
【図６】前記現像装置において電磁石の通電を停止した時にトナー補給パイプ内の磁気ブラシシャッタが消滅した状態を示す説明図である。
【符号の説明】
【００９８】
２  現像装置
１００  画像形成装置
１０１  トナー補給装置
１１２ａ  第１搬送部材（現像剤搬送部材）
１１２ｂ  第２搬送部材（現像剤搬送部材）
１１６  トナー補給パイプ（トナー補給路）
１１８  電磁石
１１９  トナー補給口
Ｄ  現像剤
Ｊ  磁気ブラシシャッタ
Ｐ  第１搬送路（現像剤搬送路）
Ｑ  第２搬送路（現像剤搬送路）
Ｔ  補給トナー
【図１】
2010066394.tif 000003
【図２】
2010066394.tif 000004
【図３】
2010066394.tif 000005
【図４】
2010066394.tif 000006
【図５】
2010066394.tif 000007
【図６】
2010066394.tif 000008